(57)【要約】【課題】弱い力で簡単に揺動させて乳児に心地よい縦揺れを与えて安心させることができ、乳児の周囲に摺動する部材がなく安全性が高い揺動式ベビーベッドを提供する。【解決手段】乳児の寝床となるベッド本体１２と、ベッド本体１２の下方に設けられベッド本体１２を揺動可能な状態で支持する基台１４を有する。基台１４は、床に置かれる下枠部材１６と、下枠部材１６の内側に弾性体３４を介して設けられ、下枠部材１６の上端部の開口部から突没可能な上枠部材１５を備える。ベッド本体１２は基台１４の上枠部材１５に載置され、ベッド本体１２には上枠部材１５を覆う覆い部４２を備える。上枠部材１５の外側面には、下枠部材１６の内側面に接するローラ３６を有し、上枠部材１５が下枠部材１６に対して突没する際に下枠部材１６の内側面に接して転がる。【選択図】図１
2018068411.tif 000002
【特許請求の範囲】
【請求項１】
乳児の寝床となるベッド本体と、ベッド本体の下方に設けられベッド本体を揺動可能な状態で支持する基台が設けられ、前記基台は、床に置かれる下枠部材と、前記下枠部材の内側に弾性体を介して設けられ前記下枠部材の上端部の開口部から突没可能な上枠部材が設けられ、前記ベッド本体は前記基台の前記上枠部材に載置され、前記ベッド本体には前記上枠部材を覆う覆い部が設けられていることを特徴とする揺動式ベビーベッド。
【請求項２】
前記上枠部材には前記下枠部材の内側面に接するローラが設けられ、前記上枠部材が前記下枠部材に対して突没する際に前記下枠部材の内側面に接して転がる請求項１記載の揺動式ベビーベッド。
【請求項３】
前記下枠部材は、床に置かれ上方に開口部を有する筒体であり、前記開口部には、前記開口部を横断する板状の上方取付部材が設けられ、前記上枠部材は前記下枠部材の内側にゆとりを有して嵌合される筒体であり、前記上枠部材の側面には、前記上方取付部材が挿通される透孔と、前記上方取付部材の下方に位置して対面する板状の下方取付部材が設けられ、前記上方取付部材と前記下方取付部材の間には、前記弾性体が設けられ、前記弾性体は前記下方取付部材が下降した時に伸び、前記下方取付部材が上昇した時に圧縮される請求項１記載の揺動式ベビーベッド。
【請求項４】
前記弾性体はコイルばねである請求項３記載の揺動式ベビーベッド。
【発明の詳細な説明】
【技術分野】
【０００１】
この発明は、乳児を寝かす場合等に使用される揺動式ベビーベッドに関する。
【背景技術】
【０００２】
従来、乳児を寝かしつけるために、揺れの心地良さで眠りを誘う揺動式ベビーベッドがある。揺動式ベビーベッドには、手動で揺らすタイプとモータで揺らすタイプがあるが、手動の方が赤ちゃんの表情を見ながら微妙に調節可能であり、好ましい。例えば、特許文献１に開示されている吊り床式ベビーベッドは、所要の囲い空間を有する外枠と、この外枠の中に昇降操作可能に内装された昇降枠と、この昇降枠の開口部に敷設された寝床シートと、外枠の中における昇降枠の横揺れを静止して直動的な昇降運動を許容する確動機構と、外枠と昇降枠とを弾力的に連繋し、昇降枠の昇降動を緩衝化せしめる弾性部材が設けられている。
【０００３】
また、特許文献２に開示されているスイング式乳児ベッドは、床板が内装される矩形の柵囲い型に枠組みされるベッド本体と、それらを四隅でコイルスプリングで吊り下げる同じく矩形に枠組みされる外フレームとの組み合わせからなり、ベッド本体と外フレームとのいずれか一方の四隅の各縦枠に縦長にガイド溝を設け、他方の四隅にはそのガイド溝に係合するガイド車を取り付けたものである。
【先行技術文献】
【特許文献】
【０００４】
【特許文献１】特開２００４−３１３２５４号公報
【特許文献２】特開２００５−１９２７７１号公報
【発明の概要】
【発明が解決しようとする課題】
【０００５】
上記背景技術の場合、固定された外枠に対して内側に取り付けた昇降枠またはベッド本体が上下に揺動するものであり、乳児を寝かせる寝床の周囲で、外枠と、昇降枠又はベッド本体が互いに摺動するため、摺動する２部材の境目に物が挟まって壊れたり、指等が挟まってけがをする恐れがあり、安全性に問題がある。
【０００６】
この発明は、上記背景技術の問題点に鑑みてなされたものであり、弱い力で簡単に揺動させて乳児に心地よい縦揺れを与えて安心させることができ、乳児の周囲に摺動する部材がなく安全性が高い揺動式ベビーベッドを提供することを目的とする。
【課題を解決するための手段】
【０００７】
本発明は、乳児の寝床となるベッド本体と、ベッド本体の下方に設けられベッド本体を揺動可能な状態で支持する基台が設けられ、前記基台は、床に置かれる下枠部材と、前記下枠部材の内側に弾性体を介して設けられ前記下枠部材の上端部の開口部から突没可能な上枠部材が設けられ、前記ベッド本体は前記基台の前記上枠部材に載置され、前記ベッド本体には前記上枠部材を覆う覆い部が設けられている。
【０００８】
また、前記上枠部材の外側面には前記下枠部材の内側面に接するローラが設けられ、前記上枠部材が前記下枠部材に対して突没する際に前記下枠部材の内側面に接して転がるものである。
【０００９】
また、前記下枠部材は、床に置かれ上方に開口部を有する筒体であり、前記開口部には、前記開口部を横断する板状の上方取付部材が設けられている。前記上枠部材は前記下枠部材の内側にゆとりを有して嵌合される筒体であり、前記上枠部材の側面には、前記上方取付部材が挿通される透孔と、前記上方取付部材の下方に位置して対面する板状の下方取付部材が設けられている。前記上方取付部材と前記下方取付部材の間には、前記弾性体が設けられ、前記弾性体は前記下方取付部材が下降した時に伸び、前記下方取付部材が上昇した時に圧縮されるものである。
【００１０】
また、前記弾性体はコイルばねである。
【００１１】
また、前記ベッド本体の外側面の下端部に近い位置には、前記ベッド本体を揺動する際に保持する突起が設けられている。また、前記ベッド本体には、前記基台の前記下枠部材に向かって突出可能な係止用のピンが設けられ、前記下枠部材には前記ピンが差し込まれて揺動を係止する挿通孔が設けられている。
【発明の効果】
【００１２】
本発明の揺動式ベビーベッドは、弱い力で簡単に揺動させて乳児に心地よい縦揺れを与えて安心させることができる。乳児の周囲には摺動する部材がなく、摺動する２部材の境目に指や物を挟む事故が発生することがなく、安全性が高い。ベッド本体を揺動する基台の外側面は覆い部で覆われてシンプルであり、乳児に付きそう保育者も安全である。
【図面の簡単な説明】
【００１３】
【図１】この発明の一実施形態の揺動式ベビーベッドのベッド本体と基台を分離した状態の斜視図である。
【図２】この実施形態の揺動式ベビーベッドの斜視図である。
【図３】この実施形態の揺動式ベビーベッドの基台の正面図である。
【発明を実施するための形態】
【００１４】
以下、この発明の実施形態について図面に基づいて説明する。図１〜図３はこの発明の一実施形態を示すもので、この実施形態の揺動式ベビーベッド１０は、乳児の寝床となるベッド本体１２と、ベッド本体１２の下方に設けられベッド本体１２を揺動可能な状態で支持する基台１４が設けられている。
【００１５】
基台１４は、床に置かれる下枠部材１６と、下枠部材１６に対して揺動可能に保持される上枠部材１５から成る。下枠部材１６は４つの側面１８で組み立てられ上方に開口部２２を有する四角筒体であり、４つの側面１８のうち、互いに平行に位置する一対の側面１８ａは、直角に交差するその他の側面１８ｂよりも、水平方向の長さが大きく、下枠部材１６の四角筒の水平方向の形状は、僅かに一方向に長い矩形となる。下枠部材１６の下端部も開口し、一対の長い側面１８ａの下端部に沿って長い板状の補強材２０が各々取り付けられている。補強材２０の側面は水平方向に位置し、長手方向の両端部は、一対の側面１８ｂに達しネジ等で固定されている。
【００１６】
上枠部材１５は、下枠部材１６の側面１８で形成された四角筒体の内側にゆとりを有して嵌合される四角筒体であり、４つの側面２４で形成されている。４つの側面２４のうち、側面１８の側面１８ａの内側に位置する一対の側面２４ａは、直角に交差し側面１８ｂの内側に位置する側面２４ｂよりも、水平方向に僅かに長い。一対の側面２４ａは、中心部分が矩形に切り取られて大きい透孔２６が各々設けられている。上枠部材１５の上端部と下端部は開口し、下端部の開口には、一対の短い側面２４ｂの下端部に沿って長い板状の下方取付部材３０が各々取り付けられている。下方取付部材３０の側面は水平方向に位置し、長手方向の両端部は、一対の側面２４ａに達しネジ等で固定されている。
【００１７】
下枠部材１６の開口部２２には長い板状の上方取付部材３２が２枚設けられている。上方取付部材３２の側面は水平方向に位置し、長手方向の両端部は、一対の側面１８ａに達しネジ等で固定されている。上方取付部材３２の長手方向は側面１８ｂに対して平行であり、上方取付部材３２は、一対の側面１８ｂから各々少し離間して開口部２２を横断して設けられている。なお、上枠部材１５と下枠部材１６を組み立てる時は、上枠部材１５の下端部が、下枠部材１６の内側に開口部２２から入れられた状態となり、このとき上枠部材１５の透孔２６に対面するように、下枠部材１６の開口部２２の縁が位置する。一対の上方取付部材３２は、この状態で上枠部材１５の一対の側面２４ａの透孔２６に各々挿通され、上枠部材１５を貫通する。一対の上方取付部材３２は、各下方取付部材３０の上方に、各下方取付部材３０に各々対面して取り付けられている。また、上枠部材１５は、上方取付部材３２が、透孔２６の上縁部２６ａに当接する位置と、下縁部２６ｂに当接する位置との間は摺動可能となり、それ以上の移動は不可能となる。
【００１８】
上方取付部材３２の下面には、弾性体であるコイルばね３４が下垂して設けられ、コイルばね３４の下端部は下方取付部材３０の上面に取り付けられている。コイルばね３４は１つの上方取付部材３２に３本が設けられ、上方取付部材３２の長手方向に沿って等間隔に設けられている。従って、コイルばね３４は、２つの上方取付部材３２に各々３本取り付けられ、合計６本が設けられている。３本並んだコイルばね３４のうち、中心に位置する１本は、着脱可能であり、弾性力を調節可能である。コイルばね３４の長さは、上枠部材１５が上から押されていないとき、図１に示すように、上方取付部材３２が透孔２６の内側で、透孔２６の下縁部２６ｂにやや近い位置にくるものである。
【００１９】
上枠部材１５の各側面２４ａ，２４ｂには、小さい孔部が形成され、孔部の内側には水平方向に軸を有するローラ３６が設けられている。ローラ３６は、図１に示すように上枠部材１５が上から押されない状態で、下枠部材１６の開口部２２の少し上に位置する１個と、開口部２２の下に位置する１個が、垂直方向に並んで一対設けられている。各側面２４ｂに各々一対と、側面２４ａの、透孔２６の両脇に各々一対設けられ、合計１２個のローラ３６が設けられている。各ローラ３６は、側面２４ａ，２４ｂの外側面に突出し、下枠部材１６の内側に入った時に側面１８ａ，１８ｂの内側面に当接して転がり、摩擦がなく、上枠部材１５の上下運動をガイドする。
【００２０】
次に、基台１４の上に設けられるベッド本体１２について説明する。ベッド本体１２は、上枠部材１５の上端部に載せられる矩形の板状の床板３８が設けられている。床板３８は、上枠部材１５の上端部の開口よりも少し大きい矩形であり、床板３８の周縁部には、床板３８の上方に一定の高さで設けられた柵４０が一周して設けられている。柵４０の一部は、上下にスライドする柵扉４０ａとなっている。床板３８の周縁部の下方には、覆い部４２が一周して設けられている。覆い部４２は、４つの側面で組み立てられ下方に開口する四角筒体であり、基台１４の上枠部材１５と下枠部材１６をわずかなゆとりを有して覆う大きさであり、垂直方向の長さは、図２の実線で示すようにベッド本体１２を基台１４に載せてベッド本体１２の自重でわずかにコイルばね３４が伸びた時に、下枠部材１６の開口部２２よりも下に位置するものである。そして、ベッド本体１２が下方に押され、コイルばね３４がより長く伸びて最も下降する時に、図２の二点鎖線で示すように、覆い部４２の下端部が床に付かず、上枠部材１５の下降の支障とならないものである。また上枠部材１５が、下降した反動で図２の実線で示す状態よりもわずかに上昇しても開口部２２を覆う長さである。
【００２１】
覆い部４２の下端部付近には、ベッド本体１２の揺動を止めるピン４４が設けられ、基台１４の下枠部材１６の外側面には、ピン４４が差し込まれる挿通孔４６が設けられている。覆い部４２の一面には、外側面に突起４８が設けられている。突起４８は、ベッド本体１２を上下に揺動させる際に保持するものであり、水平方向に長細く設けられ、保育者が床に座ったり横になったりしても届くように覆い部４２の下端部に近い位置に設けられている。
【００２２】
次に、揺動式ベビーベッド１０の使用方法について説明する。図２に示すように、基台１４にベッド本体１２を乗せた状態で、床板３８にベビー用の寝具をセットし、乳児を寝かせる。眠りにつかせるため、ピン４４を挿通孔４６から外してフリーな状態とし、乳児に付きそう保育者がベッド本体１２を軽く押し下げる。すると、基台１４のコイルばね３４が伸びて、ベッド本体１２が下降する。コイルばね３４は、上枠部材１５の長手方向の両端部に、均等に３本ずつ設けられているため、ベッド本体１２は傾くことがなく床板３８が水平を維持したまま下降し、次にコイルばね３４が縮んで上昇する。ベッド本体１２は、揺動操作を止めると、しばらくコイルばね３４の弾性力で上下の揺動を繰り返し、次第に揺動が収束し、図２の実戦で示す元の位置に静止する。また、ベッド本体１２を揺動のタイミングに合させて押すことにより、揺動を継続することができる。コイルばね３４が伸縮を繰り返して揺動するため、小さい力で揺動を継続する。上枠部材１５はローラ３６が下枠部材１６の内側面に接触して転がりながら摺動するため、直線的に揺動するようにガイドされ、また抵抗なく滑らかに、安定して摺動する。乳児は、これにより心地よい縦揺れを感じることができる。また、ローラ３６が転がりベッド本体１２が上下動する際に発生する音は、ヒトの胎内音に近いため、乳児は聴覚でも安心する。乳児の体重が軽い場合は、コイルばね３４の本数を減らしてもよい。また、コイルばね３４の付勢力は、保育者がベッド本体１２に手を添えて簡単に振動させられるように、弱めに設定されていることが好ましい。ただし、付勢力を弱くすると、ベッド本体１２の振幅が大きくなりすぎるため、適正な付勢力とする。
【００２３】
乳児を入れたり出したりする際は、柵扉４０ａを開けて行う。乳児が眠りについた後等、揺動が不要な時はピン４４を挿通孔４６に差し込んで係止し、揺動しないように止める。保育者は、床に腰を下ろしたり横になったりしても突起４８に手が届くため、楽な姿勢で揺動を継続することができる。
【００２４】
この実施形態の揺動式ベビーベッド１０によれば、弱い力で簡単に、上下に安定して揺動することができる。乳児に心地よい縦揺れを与え、安心させることができる。乳児の周囲には摺動する部材がなく、摺動する２部材の境目に指や物を挟む事故が発生することがなく、安全性が高い。ベッド本体１２を揺動する基台１４は、下枠部材１６の開口部２２に上枠部材１５が突没して摺動するが、ベッド本体１２の覆い部４２で開口部２２と上枠部材１５が覆われて外側面がシンプルであるため、物が挟まって壊れたり、指等が挟まってけがをする恐れがなく、乳児に付きそう保育者も安全である。覆い部４２は、ベッド本体１２が上昇している位置でも下枠部材１６の開口部２２を覆う長さに設けられ、確実に開口部２２を覆うことができる。コイルばね３４は、基台１４の内側の空間に設けられ、外から触れることができないため、指等が触れてけがをしたり壊したりする恐れがない。
【００２５】
なお、この発明の揺動式ベビーベッドは、上記実施形態に限定されるものではなく、各部材の形状は自由に変更可能であり、コイルばねを取り付ける上方取付部材と下方取付部材の位置や幅は適宜変更可能であり、コイルばねの数も適宜変更可能であり、弾性ゴム等に置き替えてもよい。コイルばねは、下方取付部材の下面と下枠部材の補強材等の間に設けてもよく、下降する際に圧縮されて揺動するものでもよい。上枠部材の透孔は大きい矩形の形状以外でもよく、上下に長いスリット形状でもよい。揺動する際に保持する突起の形状や取り付け位置も変更可能であり、また揺動を止める手段はピン以外でもよい。
【符号の説明】
【００２６】
１０  揺動式ベビーベッド
１２  ベッド本体
１４  基台
１５  上枠部材
１６  下枠部材
１８，２４  側面
２６  透孔
３０  下方取付部材
３２  上方取付部材
３４  コイルばね
３６  ローラ
４２  覆い部
４４  ピン
４６  挿通孔
４８  突起
【図１】
2018068411.tif 000003
【図２】
2018068411.tif 000004
【図３】
2018068411.tif 000005